(57)【要約】【課題】遊技客が望む景品を該遊技客のニーズに応じて適切かつ効率的に供給することができる景品交換システム及び景品交換方法を提供することを課題とする。【解決手段】遊技機２０で遊技している遊技客が、自席から景品の予約操作を行うと、この景品の景品交換に必要な玉数が持玉数から減算されるとともに、景品コード及びカードＩＤを含む予約依頼データが管理装置４０に通知され、管理装置４０のカード情報４０ｅが更新されるとともに、管理装置４０から転送された予約依頼データを受け付けた景品管理装置７０が、景品予約リスト７０ｆに予約景品を追加する。【選択図】図１
2012055477.tif 000002
【特許請求の範囲】
【請求項１】
遊技機に併設されるとともに所定のカードに関連づけられた遊技媒体数の範囲内で遊技媒体の投出処理を行うカード処理機と、前記カードに関連づけられた遊技媒体数に応じた景品交換処理を行う景品交換装置とを有する景品交換システムであって、
前記カード処理機は、
予約対象として選択された景品の識別情報を受け付ける景品予約受付手段と、
前記景品予約受付手段により受け付けた景品の識別情報及び該カード処理機の処理対象とされるカードの識別情報を含む予約依頼データを送信して、前記景品の予約依頼処理を行う予約依頼処理手段と、を備え、
前記景品交換装置は、
景品の識別情報とカードの識別情報を対応づけた景品予約リスト情報を記憶する記憶手段と、
前記予約依頼データを受信した場合に、該予約依頼データに含まれる景品の識別情報とカードの識別情報を前記記憶手段に記憶した景品予約リスト情報に登録して該景品予約リストを更新する景品予約リスト更新手段と、
前記カードを受け付けた場合に、前記記憶手段に記憶された景品予約リスト情報を参照しつつ予約された景品の景品交換処理を行う予約景品交換処理手段と、を備えた
ことを特徴とする景品交換システム。
【請求項２】
前記カード処理機又は前記カードに関連づけられた遊技媒体数を管理する管理装置は、前記予約依頼データに含まれるカードの識別情報に対応する遊技媒体数から前記景品の識別情報に対応する遊技媒体数を減算処理することを特徴とする請求項１に記載の景品交換システム。
【請求項３】
前記カード処理機は、
前記景品予約リスト情報に登録された景品予約の取消依頼を受け付ける取消依頼受付手段と、
前記取消依頼受付手段により受け付けた取消依頼の対象となる景品の識別情報及び該カード処理機の処理対象とされるカードの識別情報を含む予約取消依頼データを送信して、前記景品の予約取消依頼処理を行う予約取消依頼処理手段と、をさらに備え、
前記景品交換装置は、
前記予約取消依頼データを受け付けた場合に、該予約取消依頼データに含まれる景品の識別情報とカードの識別情報を前記記憶手段に記憶した景品予約リスト情報から削除して該景品の予約取消処理を行う予約取消処理手段をさらに備えた
ことを特徴とする請求項１又は２に記載の景品交換システム。
【請求項４】
前記カード処理機又は前記カードに関連づけられた遊技媒体数を管理する管理装置は、前記予約取消依頼データに含まれるカードの識別情報に対応する遊技媒体数に前記景品の識別情報に対応する遊技媒体数を加算処理することを特徴とする請求項３に記載の景品交換システム。
【請求項５】
遊技機に併設されるとともに所定のカードに関連づけられた遊技媒体数の範囲内で遊技媒体の投出処理を行うカード処理機と、前記カードに関連づけられた遊技媒体数に応じた景品交換処理を行う景品交換装置とを有する景品交換システムの景品交換方法であって、
前記カード処理機が、予約対象として選択された景品の識別情報を受け付ける景品予約受付工程と、
前記景品予約受付工程により受け付けた景品の識別情報及び該カード処理機の処理対象とされるカードの識別情報を含む予約依頼データを送信して、前記景品の予約依頼処理を行う予約依頼処理工程と、
前記予約依頼データに含まれるカードの識別情報に対応する遊技媒体数から前記景品の識別情報に対応する遊技媒体数を減算処理する減算処理工程と、
前記景品交換装置が、前記予約依頼データを受信した場合に、該予約依頼データに含まれる景品の識別情報とカードの識別情報を景品予約リスト情報に登録して該景品予約リストを更新する景品予約リスト更新工程と、
前記カードを受け付けた場合に、前記景品予約リスト情報を参照しつつ予約された景品の景品交換処理を行う予約景品交換処理工程と、
を含んだことを特徴とする景品交換方法。
【請求項６】
前記カード処理機が、前記景品予約リスト情報に登録された景品予約の取消依頼を受け付ける取消依頼受付工程と、
前記取消依頼受付工程により受け付けた取消依頼の対象となる景品の識別情報及び該カード処理機の処理対象とされるカードの識別情報を含む予約取消依頼データを送信して、前記景品の予約取消依頼処理を行う予約取消依頼処理工程と、
前記予約取消依頼データに含まれるカードの識別情報に対応する遊技媒体数に前記景品の識別情報に対応する遊技媒体数を加算処理する加算処理工程と、
前記景品交換装置が、前記予約取消依頼データを受け付けた場合に、該予約取消依頼データに含まれる景品の識別情報とカードの識別情報を前記景品予約リスト情報から削除して該景品の予約取消処理を行う予約取消処理工程と、
をさらに含んだことを特徴とする請求項５に記載の景品交換方法。
【発明の詳細な説明】
【技術分野】
【０００１】
本発明は、遊技客が獲得した遊技媒体を景品に交換する景品交換システム及び景品交換方法に関し、特に、遊技客が望む景品を該遊技客のニーズに応じて適切かつ効率的に供給することができる景品交換システム及び景品交換方法に関する。
【背景技術】
【０００２】
従来、パチンコ店等の遊技店では、遊技客が獲得したパチンコ玉等の遊技媒体を島端計数機で計数し、その計数結果が印字されたレシートや計数結果が関連づけられた会員カードをカウンターに持ち込み、カウンター内の景品交換装置で遊技媒体を景品に交換処理する仕組みが一般的であった。
【０００３】
また、最近になって、遊技台に併設された台間カード処理機に各台計数機を設け、この各台計数機によって持玉を計数できる仕組みが普及しつつある。遊技客は、この持玉が関連付けられた持玉カード（以下、単に「カード」と言う）を景品交換装置に挿入することで、遊技媒体を景品に交換することができる。
【０００４】
このように、従来の景品交換システムでは、遊技店のカウンターに設けられた景品交換装置を用いてカウンターにおいて景品交換処理を行うのが一般的であったが、最近は、遊技客がカウンターに赴かなくても自席で遊技媒体を景品に交換できる先行技術が知られている。かかる先行技術を用いると、遊技客は、カウンターに赴かなくともジュースや煙草等の景品を自席で入手することができる。
【０００５】
例えば、特許文献１には、台間カード処理機の各台計数機と景品交換装置を通信回線で接続し、各台計数機の計数結果に応じた景品交換の受付処理を景品交換装置で行い、景品交換装置で受け付けた景品を台間カード処理機が併設される遊技機まで搬送するよう構成した景品交換システムが開示されている。
【０００６】
また、特許文献２には、パチンコ台間に挿入したオーダー用パネルが商品代金投入口と商品選択釦とを備え、各パチンコ台の前面側に商品取出口を設け、各パチンコ台に対応している各商品取出口に連なる商品搬送路を設け、この商品搬送路の一端を商品貯蔵部に接続することで、パチンコ遊技中に各パチンコ台の席で所望の商品を購入できるようにしたパチンコ台用自動販売装置が開示されている。
【先行技術文献】
【特許文献】
【０００７】
【特許文献１】特開平１０−１１８３２４号公報
【特許文献２】特開平８−２３８３８２号公報
【発明の概要】
【発明が解決しようとする課題】
【０００８】
しかしながら、上記従来技術１及び２のものは、ジュースや煙草等の景品を取得する場合には有用であるが、その他の景品を取得する場合には効率的ではない。遊技店が、例えば「カニ」や「明太子」等の数量限定の特売品を景品として準備した場合に、遊技客が上記従来技術１及び２を用いて特売品を獲得したとしても、継続して遊技を行いたい遊技客にとっては、獲得した特売品の置き場所に困る結果となる。
【０００９】
また、遊技客は、特売品等の景品を獲得した時点では多数の持玉等を有していたが、その後に該遊技客の持玉が遊技とともに減少する場合も多い。このような場合には、遊技客が特売品等の景品を獲得した事が結果的に継続遊技に支障を来すおそれがある。
【００１０】
このように、遊技客にとっては、ジュースや煙草のように直ちに手元に欲しい景品だけではなく、特売品のように他の遊技客に先んじて入手をしたい反面で遊技中に手元に置きたくない景品や、持玉等がある場合には獲得したいが持玉が減少した場合には放棄して遊技の継続を優先できる景品が望ましい。これらのことから、遊技客が望む景品を該遊技客のニーズに応じていかに効率良く供給するかが重要な課題となっている。
【００１１】
本発明は、上述した従来技術による問題点を解消するためになされたものであり、遊技客が望む景品を該遊技客のニーズに応じて適切かつ効率的に供給することができる景品交換システム及び景品交換方法を提供することを目的とする。
【課題を解決するための手段】
【００１２】
上述した課題を解決し、目的を達成するため、本発明は、遊技機に併設されるとともに所定のカードに関連づけられた遊技媒体数の範囲内で遊技媒体の投出処理を行うカード処理機と、前記カードに関連づけられた遊技媒体数に応じた景品交換処理を行う景品交換装置とを有する景品交換システムであって、前記カード処理機は、予約対象として選択された景品の識別情報を受け付ける景品予約受付手段と、前記景品予約受付手段により受け付けた景品の識別情報及び該カード処理機の処理対象とされるカードの識別情報を含む予約依頼データを送信して、前記景品の予約依頼処理を行う予約依頼処理手段と、を備え、前記景品交換装置は、景品の識別情報とカードの識別情報を対応づけた景品予約リスト情報を記憶する記憶手段と、前記予約依頼データを受信した場合に、該予約依頼データに含まれる景品の識別情報とカードの識別情報を前記記憶手段に記憶した景品予約リスト情報に登録して該景品予約リストを更新する景品予約リスト更新手段と、前記カードを受け付けた場合に、前記記憶手段に記憶された景品予約リスト情報を参照しつつ予約された景品の景品交換処理を行う予約景品交換処理手段と、を備えたことを特徴とする。
【００１３】
また、本発明は、上記発明において、前記カード処理機又は前記カードに関連づけられた遊技媒体数を管理する管理装置は、前記予約依頼データに含まれるカードの識別情報に対応する遊技媒体数から前記景品の識別情報に対応する遊技媒体数を減算処理することを特徴とする。
【００１４】
また、本発明は、上記発明において、前記カード処理機は、前記景品予約リスト情報に登録された景品予約の取消依頼を受け付ける取消依頼受付手段と、前記取消依頼受付手段により受け付けた取消依頼の対象となる景品の識別情報及び該カード処理機の処理対象とされるカードの識別情報を含む予約取消依頼データを送信して、前記景品の予約取消依頼処理を行う予約取消依頼処理手段と、をさらに備え、前記景品交換装置は、前記予約取消依頼データを受け付けた場合に、該予約取消依頼データに含まれる景品の識別情報とカードの識別情報を前記記憶手段に記憶した景品予約リスト情報から削除して該景品の予約取消処理を行う予約取消処理手段をさらに備えたことを特徴とする。
【００１５】
また、本発明は、上記発明において、前記カード処理機又は前記カードに関連づけられた遊技媒体数を管理する管理装置は、前記予約取消依頼データに含まれるカードの識別情報に対応する遊技媒体数に前記景品の識別情報に対応する遊技媒体数を加算処理することを特徴とする。
【００１６】
また、本発明は、上記発明において、遊技機に併設されるとともに所定のカードに関連づけられた遊技媒体数の範囲内で遊技媒体の投出処理を行うカード処理機と、前記カードに関連づけられた遊技媒体数に応じた景品交換処理を行う景品交換装置とを有する景品交換システムの景品交換方法であって、前記カード処理機が、予約対象として選択された景品の識別情報を受け付ける景品予約受付工程と、前記景品予約受付工程により受け付けた景品の識別情報及び該カード処理機の処理対象とされるカードの識別情報を含む予約依頼データを送信して、前記景品の予約依頼処理を行う予約依頼処理工程と、前記予約依頼データに含まれるカードの識別情報に対応する遊技媒体数から前記景品の識別情報に対応する遊技媒体数を減算処理する減算処理工程と、前記景品交換装置が、前記予約依頼データを受信した場合に、該予約依頼データに含まれる景品の識別情報とカードの識別情報を景品予約リスト情報に登録して該景品予約リストを更新する景品予約リスト更新工程と、前記カードを受け付けた場合に、前記景品予約リスト情報を参照しつつ予約された景品の景品交換処理を行う予約景品交換処理工程と、を含んだことを特徴とする。
【００１７】
また、本発明は、上記発明において、前記カード処理機が、前記景品予約リスト情報に登録された景品予約の取消依頼を受け付ける取消依頼受付工程と、前記取消依頼受付工程により受け付けた取消依頼の対象となる景品の識別情報及び該カード処理機の処理対象とされるカードの識別情報を含む予約取消依頼データを送信して、前記景品の予約取消依頼処理を行う予約取消依頼処理工程と、前記予約取消依頼データに含まれるカードの識別情報に対応する遊技媒体数に前記景品の識別情報に対応する遊技媒体数を加算処理する加算処理工程と、前記景品交換装置が、前記予約取消依頼データを受け付けた場合に、該予約取消依頼データに含まれる景品の識別情報とカードの識別情報を前記景品予約リスト情報から削除して該景品の予約取消処理を行う予約取消処理工程と、をさらに含んだことを特徴とする。
【発明の効果】
【００１８】
本発明によれば、カード処理機は、予約対象として選択された景品の識別情報を受け付け、受け付けた景品の識別情報及び該カード処理機の処理対象とされるカードの識別情報を含む予約依頼データを送信して、景品の予約依頼処理を行い、景品交換装置は、予約依頼データを受信した場合に、該予約依頼データに含まれる景品の識別情報とカードの識別情報を景品予約リスト情報に登録して該景品予約リストを更新し、カードを受け付けた場合に、景品予約リスト情報を参照しつつ予約された景品の景品交換処理を行うよう構成したので、遊技客が望む景品を自席から予約することができ、もって遊技客が望む景品を該遊技客のニーズに応じて適切かつ効率的に供給することが可能となる。
【００１９】
また、本発明によれば、カード処理機又はカードに関連づけられた遊技媒体数を管理する管理装置は、予約依頼データに含まれるカードの識別情報に対応する遊技媒体数から景品の識別情報に対応する遊技媒体数を減算処理するよう構成したので、景品交換装置での予約景品の交換に伴う減算処理が不要となり、迅速かつ効率良く予約景品の受け渡しが可能となる。
【００２０】
また、本発明によれば、カード処理機は、景品予約リスト情報に登録された景品予約の取消依頼を受け付け、受け付けた取消依頼の対象となる景品の識別情報及び該カード処理機の処理対象とされるカードの識別情報を含む予約取消依頼データを送信して、景品の予約取消依頼処理を行い、景品交換装置は、予約取消依頼データを受け付けた場合に、該予約取消依頼データに含まれる景品の識別情報とカードの識別情報を景品予約リスト情報から削除して該景品の予約取消処理を行うよう構成したので、遊技客が予約景品よりも遊技の継続を望むような場合に柔軟に対応することができる。
【００２１】
また、本発明によれば、カード処理機又はカードに関連づけられた遊技媒体数を管理する管理装置は、予約取消依頼データに含まれるカードの識別情報に対応する遊技媒体数に景品の識別情報に対応する遊技媒体数を加算処理するよう構成したので、予約時に減算処理を行った場合であっても、予約の取消に伴って遊技媒体数を戻すことで、遊技客が予約に伴う不利な取り扱いを受ける事態を防ぐことができる。
【００２２】
また、本発明によれば、カード処理機が、予約対象として選択された景品の識別情報を受け付け、受け付けた景品の識別情報及び該カード処理機の処理対象とされるカードの識別情報を含む予約依頼データを送信して、景品の予約依頼処理を行い、予約依頼データに含まれるカードの識別情報に対応する遊技媒体数から景品の識別情報に対応する遊技媒体数を減算処理し、景品交換装置が、予約依頼データを受信した場合に、該予約依頼データに含まれる景品の識別情報とカードの識別情報を景品予約リスト情報に登録して該景品予約リストを更新し、カードを受け付けた場合に、景品予約リスト情報を参照しつつ予約された景品の景品交換処理を行うよう構成したので、遊技客が望む景品を自席から予約することができ、もって遊技客が望む景品を該遊技客のニーズに応じて適切かつ効率的に供給することが可能となる。
【００２３】
また、本発明によれば、カード処理機が、景品予約リスト情報に登録された景品予約の取消依頼を受け付け、受け付けた取消依頼の対象となる景品の識別情報及び該カード処理機の処理対象とされるカードの識別情報を含む予約取消依頼データを送信して、景品の予約取消依頼処理を行い、予約取消依頼データに含まれるカードの識別情報に対応する遊技媒体数に前記景品の識別情報に対応する遊技媒体数を加算処理し、景品交換装置が、予約取消依頼データを受け付けた場合に、該予約取消依頼データに含まれる景品の識別情報とカードの識別情報を景品予約リスト情報から削除して該景品の予約取消処理を行うよう構成したので、遊技客が予約景品よりも遊技の継続を望むような場合に柔軟に対応することができる。
【図面の簡単な説明】
【００２４】
【図１】図１は、本実施例１に係る景品交換システムの概念を説明するための説明図である。
【図２】図２は、本実施例１に係る遊技媒体処理システム（景品交換システムを含む）のシステム構成を示す図である。
【図３】図３は、図１に示した台間カード処理機の外観構成を示す図である。
【図４】図４は、図１に示した台間カード処理機、管理装置及び景品管理装置の内部構成を示す機能ブロック図である。
【図５】図５は、景品選択画面の一例を示す図である。
【図６】図６は、図４に示したカード情報の一例を示す図である。
【図７】図７は、図４に示した景品予約リストの一例を示す図である。
【図８】図８は、図１に示した台間カード処理機、管理装置及び景品管理装置の景品予約時の処理手順を示すフローチャートである。
【図９】図９は、図１に示した景品管理装置にカードが挿入された場合の処理手順を示すフローチャートである。
【図１０】図１０は、本実施例２に係る景品交換システムの概念を説明するための説明図である。
【図１１】図１１は、予約取消時のカード情報の状態遷移を説明するための説明図である。
【図１２】図１２は、景品予約取消画面の一例を示す図である。
【図１３】図１３は、図１０に示した台間カード処理機、管理装置及び景品管理装置の景品予約取消時の処理手順を示すフローチャートである。
【発明を実施するための形態】
【００２５】
以下に、本願の開示する景品交換システム及び景品交換方法の実施例を図面に基づいて詳細に説明する。以下に示す実施例１では遊技客が自席から景品を予約する場合を示し、実施例２では景品の予約を取り消す場合を示すこととする。なお、以下に示す実施例１及び２では、台間カード処理機で計数された持玉を景品交換する場合について説明するが、貯玉等を景品交換する場合に適用することもできる。
【実施例１】
【００２６】
まず、本実施例１に係る景品交換システムの概念について説明する。図１は、本実施例１に係る景品交換システムの概念を説明するための説明図である。同図に示すように、遊技店内には、複数の遊技機２０と、この遊技機２０にそれぞれ対応して設けられた台間カード処理機１０と、カード９０に対応づけられた残額及び持玉数を管理する管理装置４０と、カード９０に対応づけられた残額を精算処理する精算機６０と、カード９０に関連づけられた持玉数を景品交換処理する景品管理装置７０とが設けられている。
【００２７】
この景品交換システムでは、遊技機２０で遊技している遊技客が、自席から景品の予約を行えるようにした点に特徴がある。具体的には、遊技客が持玉を有する状態で台間カード処理機１０の操作表示部から景品予約操作を行うと、台間カード処理機１０から管理装置４０に対して予約依頼データが送信され、台間カード処理機１０で管理される持玉情報から予約する景品の景品交換に必要な玉数が減算される。この予約依頼データには、予約対象となる景品の景品コードと、持玉数が関連づけられたカード９０のカードＩＤとが含まれる。
【００２８】
この予約依頼データを受信した管理装置４０は、カード情報４０ｅの更新を行う。例えば、管理装置４０が、景品コード「１２３」及びカードＩＤ「００１」を含む予約依頼データを受信したならば、このカードＩＤ「００１」の持玉数をカード情報４０ｅから検索する。そして、この時点でのカードＩＤ「００１」の持玉数が「５０００個」であり、景品コード「１２３」の景品交換に必要な持玉数が「１０００個」である場合には、カードＩＤ「００１」の持玉数は、「５０００個」から「４０００個」に減算処理される。それとともに、カードＩＤ「００１」の景品予約玉数が「０個」から「１０００個」になる。なお、景品コード「１２３」の景品交換に必要な持玉数「１０００個」は、事前に管理装置４０に通知されている。また、カードＩＤ「００１」の景品コード欄に「１２３」が追加される。
【００２９】
これにより、管理装置４０では、景品コード「１２３」の景品がカードＩＤ「００１」によって予約されたことが分かる。その後、管理装置４０は、予約依頼データを景品管理装置７０に転送する。
【００３０】
この予約依頼データを受信した景品管理装置７０は、この予約依頼データに含まれる景品コード「１２３」とカードＩＤ「００１」を景品予約リスト７０ｆに登録する。なお、景品コード「１２３」の景品の景品交換に必要な玉数「１０００個」についても、景品予約リスト７０ｆに登録される。なお、景品コード「１２３」の景品交換に必要な持玉数「１０００個」は、事前に景品管理装置７０に通知されている。
【００３１】
その後、遊技客は、遊技機１０での遊技を終えて台間カード処理機１０からカード９０を排出し、このカード９０を景品管理装置７０に挿入する。景品管理装置７０は、カード９０のカードＩＤ「００１」を読み取り、このカード９０に関連づけられた予約景品が存在するか否かを調べる。具体的には、景品予約リスト７０ｆのカードＩＤ欄にカードＩＤ「００１」が存在するか否かを確認することになる。
【００３２】
そして、この景品予約リスト７０ｆに該当する景品が存在するならば、該当する景品を遊技客に受け渡すことになる。なお、受け渡した景品の景品コード欄は景品予約リスト７０ｆから削除するとともに、景品交換完了を管理装置４０に通知して景品予約玉数及び景品コードをクリアする。
【００３３】
上記一連の処理を行うことにより、遊技客は、例えば「カニ」等の数量限定の特売品の景品が存在する場合に、この景品を予約処理することが可能となる。なお、あくまでも予約処理であるので、遊技客の手元に特売品を置く必要がなく、遊技客は引き続き遊技を継続して行うことができる。
【００３４】
次に、本実施例１に係る遊技媒体処理システム（景品交換システムを含む）のシステム構成について説明する。図２は、本実施例１に係る遊技媒体処理システムのシステム構成を示す図である。同図に示すように、この遊技媒体処理システムでは、複数の遊技機２０と、各遊技機２０にそれぞれ対応して設けられた台間カード処理機１０と、管理装置４０と、複数の島端計数機５０と、精算機６０と、景品管理装置７０とが通信回線８０を介して接続されている。なお、複数の遊技機２０及び台間カード処理機１０は、島コントローラ３０を介して通信回線８０に接続されている。
【００３５】
遊技機２０は、パチンコ玉を遊技領域に打ち込んで遊技客がパチンコ遊技を行うパチンコ機等の装置であり、台間カード処理機１０は、遊技機２０に対する玉貸し処理、遊技機２０で獲得したパチンコ玉の計数処理、計数したパチンコ玉を持玉として再投出する処理などを行う装置である。
【００３６】
この台間カード処理機１０にはカード９０が挿入され、遊技客が遊技を終えてカード返却ボタンを押下操作すると、該カード９０に残額並びに持玉情報が対応づけられる。具体的には、この残額及び持玉情報がカード９０に書き込まれるとともに、管理装置４０で管理されるカード情報４０ｅの内容も更新される。また、カード９０を受け入れたならば、このカード９０の残額並びに持玉情報に基づいて遊技媒体の貸出処理並びに持玉の投出処理を行う。
【００３７】
ここで、この台間カード処理機１０は、景品の予約を行う場合にも利用される。具体的には、液晶パネルを用いて景品が選択されると、選択された景品の景品コード及びカードのカードＩＤを含む予約依頼データが管理装置４０に対して送信される。なお、この台間カード処理機１０を用いると、遊技客は予約済みの景品の取消を行うこともできるが、この点については後述する実施例２で説明する。
【００３８】
島コントローラ３０は、遊技島に設けられた一群の遊技機２０および台間カード処理機１０を束ねる中継装置である。管理装置４０は、カード９０の残額及び持玉情報等をカード情報４０ｅとして管理する管理装置である。この管理装置４０は、カード情報４０ｅを用いて予約された景品に関する情報も管理する。
【００３９】
島端計数機５０は、遊技島端等に設けられ、遊技客が獲得した遊技媒体数を計数し、計数値をカード９０に関連付けるか、レシートへ印字して発行する。精算機６０は、カード挿入口に挿入された各種紙幣の残額が関連付けられたカード９０が挿入されると、残額に相当する現金の払出を行う。
【００４０】
景品管理装置７０は、遊技店内の景品交換カウンターに併設された景品交換用の端末装置であり、持玉情報の景品交換処理を行う。具体的には、この景品管理装置７０は、従来行われている持玉数の景品への交換処理だけではなく、予約された景品の受け渡しをも行う。
【００４１】
なお、ここでは説明の便宜上、島端計数機５０で発行したレシートによる景品交換や、カード９０に対応づけられた貯玉の景品交換についての説明を省略するが、景品管理装置７０は、レシートに価値づけられた計数値又は貯玉数の景品交換を行うこともできる。
【００４２】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００４３】
図３に示すように、台間カード処理機１０は、台間カード処理機１０の装置状態を所定色のランプの点灯あるいは点滅で表示する状態表示部１１と、遊技媒体貸し出しのための各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、残額及び持玉情報が記憶されたカード９０を受け付けるカード挿入口１５と、携帯端末の識別子であるＩＤｍを読み取る携帯読取部１６とが設けられている。
【００４４】
また、台間カード処理機１０は、遊技客が獲得した遊技媒体数を持玉数として計数する計数部１７と、持玉数を貯留する持玉貯留部１８とを有する。遊技機２０の下皿２２から落下した遊技媒体は、持玉貯留部１８を経て計数部１７へと導かれる。また、持玉貯留部１８には、持玉数を表示する持玉表示部及び持玉払出ボタンが設けられている。遊技客により持玉払出ボタンが押下された場合には払出要求が払出処理部１０ｈに対して通知される。
【００４５】
なお、遊技機２０には、カードの残額や貸し出された遊技媒体数などを表示する表示部と、遊技媒体の貸し出しを指示する貸出ボタンやカード返却を指示するカード返却ボタンを含む操作ボタンとが設けられる。なお、貸出ボタンが押下された場合には、貸出要求が払出処理部１０ｈに対して通知される。
【００４６】
次に、図１に示した台間カード処理機１０、管理装置４０及び景品管理装置７０の内部構成について説明する。図４は、図１に示した台間カード処理機１０、管理装置４０及び景品管理装置７０の内部構成を示す機能ブロック図である。
【００４７】
同図に示すように、台間カード処理機１０は、Ｒ／Ｗ部１０ａと、通信Ｉ／Ｆ部１０ｂと、記憶部１０ｃと、制御部１０ｅとを有する。この制御部１０ｅには、表示操作部１３及び計数部１７が接続されている。
【００４８】
Ｒ／Ｗ部１０ａは、受け入れたカード９０へのデータの読み書きを行う処理部である。具体的には、カード９０が挿入された場合には、該カード９０のカードＩＤ、残額及び持玉情報を読み込んで制御部１０ｅに出力する。カード９０を返却する場合には、このカード９０に残額及び持玉情報を書き込む処理を行う。通信Ｉ／Ｆ部１０ｂは、管理装置４０とデータ通信を行うためのインタフェース部である。記憶部１０ｃは、ハードディスク装置や不揮発性メモリ等の記憶デバイスであり持玉情報１０ｄを記憶する。
【００４９】
制御部１０ｅは、台間カード処理機１０の全体制御を行う制御部であり、持玉管理部１０ｆ、景品予約処理部１０ｇ及び払出処理部１０ｈを有する。持玉管理部１０ｆは、記憶部１０ｃに記憶した持玉情報１０ｄを用いて遊技客の持玉数を管理する管理部である。具体的には、新たな持玉が計数された場合には計数値を持玉数に加算処理し、持玉の払い出しが行われた場合には払い出し数を持玉数から減算処理する。持玉数を加算処理又は減算処理する場合には、管理装置４０に対してその旨を通知して、管理装置４０での持玉数の更新を終えた後に更新する。管理装置４０が管理する持玉数との整合を図るためである。
【００５０】
景品予約処理部１０ｇは、景品の予約処理を行う処理部である。表示操作部１３において予約対象となる景品が選択されたならば、選択された景品の景品コード及びカードＩＤを含む予約依頼データを管理装置４０に対して送信するとともに、記憶部１０ｃに記憶した持玉情報１０ｄから景品の景品交換に必要な遊技媒体数を減算する処理を行う。
【００５１】
なお、表示操作部１３を用いた景品選択を行う場合には、図５に例示した表示画面を表示操作部１３に表示制御し、遊技客が「１．カニ」を選択して「予約」ボタンを押下操作したならば、この「１．カニ」に対応する景品コード「１２３」が予約対象として特定されることになる。
【００５２】
払出処理部１０ｈは、持玉払出ボタンが押下操作された場合に、持玉情報のうちの所定数（例えば、１００玉）を払い出すよう遊技機２０に指示するとともに、貸出ボタンが押下操作された場合には、カード９０に残額があることを条件に所定数の遊技媒体を払い出すよう遊技機２０に指示する処理部である。
【００５３】
次に、管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０及び景品管理装置７０とデータ通信するためのインタフェース部であり、記憶部４０ｄは、ハードディスク装置や不揮発性メモリ等の記憶デバイスである。
【００５４】
この記憶部４０ｄには、図６（ａ）に示すように、カードＩＤ、残額、持玉数、景品予約玉数及び景品コードが対応づけられたカード情報４０ｅが記憶されている。図６には、残額「０円」、持玉数「５０００玉」、景品予約玉数「０玉」、景品コード「−」がカードＩＤ「００１」に対応づけられ、残額「０円」、持玉数「２０００玉」、景品予約玉数「０玉」、景品コード「−」がカードＩＤ「００２」に対応づけられた状況を示している。この状況では、カードＩＤ「００１」、「００２」はともに景品予約がなされていない。
【００５５】
ここで、カードＩＤ「００１」について景品コード「１２３」の景品予約が行われると、図６（ｂ）に示すように、カードＩＤ「００１」の残額「０円」、持玉数「４０００玉」、景品予約玉数「１０００玉」、景品コード「１２３」となる。景品交換に「１０００玉」が必要な景品コード「１２３」の景品を予約した状況を示している。
【００５６】
制御部４０ｆは、管理装置４０を全体制御する制御部であり、持玉管理部４０ｇ及び景品予約管理部４０ｈを有する。持玉管理部４０ｇは、記憶部４０ｄに記憶したカード情報４０ｅを用いて各カードの持玉数を管理する管理部である。
【００５７】
景品予約管理部４０ｈは、記憶部４０ｄに記憶したカード情報４０ｅを用いて予約された景品に関する情報を管理する管理部である。この景品予約管理部４０ｈは、予約依頼データを受け付けたならば、この予約依頼データに含まれるカードＩＤでカード情報４０ｅを検索し、該当するカードＩＤの持玉数から景品コードの景品を交換するのに必要な持玉数を減算処理するとともに、景品コードの景品を交換するのに必要な持玉数を景品予約玉数に書き込み、景品コードを景品コード欄に書き込む。その後、この予約依頼データを景品管理装置７０に対して転送する。
【００５８】
次に、景品管理装置７０は、入力部７０ａと、表示部７０ｂと、通信Ｉ／Ｆ部７０ｃと、Ｒ／Ｗ部７０ｄと、記憶部７０ｅと、制御部７０ｇとを有する。入力部７０ａは、キーボードやマウス等の入力デバイスであり、表示部７０ｂは、液晶パネルやディスプレイ装置等の表示デバイスである。通信Ｉ／Ｆ部７０ｃは、管理装置４０とデータ通信するためのインタフェース部であり、Ｒ／Ｗ部７０ｄは、受け入れたカード９０へのデータの読み書きを行う処理部である。
【００５９】
記憶部７０ｅは、ハードディスク装置や不揮発性メモリ等の記憶デバイスであり、遊技客によって予約された景品のリストを示す景品予約リスト７０ｆを記憶する。具体的には、図６に示すように、この景品予約リスト７０ｆは、景品コード、必要玉数、カードＩＤ及び景品名からなる。ここでは、景品コード「１２３」、必要玉数「１０００玉」、カードＩＤ「００１」及び景品名「カニ」の景品が予約された状況を示している。
【００６０】
制御部７０ｇは、景品管理装置７０の全体制御を行う制御部であり、景品交換処理部７０ｈ及び予約景品管理部７０ｉを有する。景品交換処理部７０ｈは、持玉情報を一般景品又は特殊景品に景品交換処理する処理部である。
【００６１】
予約景品管理部７０ｉは、景品予約リスト７０ｆを用いて遊技客により予約された景品の管理並びに予約景品の受け渡し処理を行う処理部である。具体的には、予約依頼データを受け付けたならば、この予約依頼データに含まれる景品コード及びカードＩＤを景品予約リスト７０ｆに登録するとともに、併せてこの景品コードの景品の景品交換に必要となる持玉数と景品名を景品予約リスト７０ｆに登録する。また、カード９０を受け付けた場合に、このカード９０のカードＩＤで景品予約リスト７０ｆを検索し、該当するカードＩＤが存在するならば、該景品の受け渡し処理を行われた後に、景品予約リスト７０ｆから該当するものを削除し、予約景品の景品交換完了を管理装置４０に対して通知する。
【００６２】
次に、図１に示した台間カード処理機１０、管理装置４０及び景品管理装置７０の景品予約時の処理手順について説明する。図８は、図１に示した台間カード処理機１０、管理装置４０及び景品管理装置７０の景品予約時の処理手順を示すフローチャートである。ここでは、遊技客は事前に十分な持玉を獲得しており、この持玉数がカードに関連づけられているものとする。
【００６３】
図８に示すように、台間カード処理機１０は、当初景品予約操作の受付待ちの状態にあり（ステップＳ１０１：Ｎｏ）、景品予約操作を受け付けたならば（ステップＳ１０１：Ｙｅｓ）、選択された景品コード及びカードＩＤを含む景品予約データが管理装置４０に対して送信されるとともに（ステップＳ１０２）、選択された景品の景品交換に必要な持玉数が持玉情報１０ｄから減算される（ステップＳ１０３）。
【００６４】
一方、管理装置４０は、景品予約データの受信待ちの状態にあり（ステップＳ１０４：Ｎｏ）、景品予約データを受信したならば（ステップＳ１０４：Ｙｅｓ）、この景品予約データに含まれるカードＩＤを取り出し、カード情報４０ｅのカードＩＤに対応する持玉数から景品コードの景品の景品交換に必要な持玉数を減算する（ステップＳ１０５）。
【００６５】
また、カード情報４０ｅのカードＩＤに対応する景品予約玉数の欄に景品コードの景品の景品交換に必要な持玉数を加算し（ステップＳ１０６）、カード情報４０ｅのカードＩＤに対応する景品コードの欄に対して景品予約データに含まれる景品コードを書き込み（ステップＳ１０７）、景品予約データを景品管理装置７０に転送する（ステップＳ１０８）。
【００６６】
景品管理装置７０は、景品予約データの受信待ちの状態にあり（ステップＳ１０９：Ｎｏ）、景品予約データを受信したならば（ステップＳ１０９：Ｙｅｓ）、この景品予約データに含まれるカードＩＤを取り出し、景品コード、必要玉数、カードＩＤ及び景品名を景品予約リスト７０ｆに書き込み（ステップＳ１１０）、景品コード及びカードＩＤを含む予約完了データを管理装置４０に対して送信する（ステップＳ１１１）。
【００６７】
上記一連の処理を行うことで、景品交換管理装置７０の景品予約リスト７０ｆに予約した景品を登録することができる。これにより、遊技客は、このカード９０を持参してカウンターに赴くことにより、いつでも予約した景品を受け取ることができる。
【００６８】
次に、図１に示した景品管理装置７０にカード９０が挿入された場合の処理手順について説明する。図９は、図１に示した景品管理装置７０にカード９０が挿入された場合の処理手順を示すフローチャートである。なお、ここでは説明の便宜上、カードの関連づけられた持玉数の景品交換処理についての説明は省略している。
【００６９】
同図に示すように、景品管理装置７０は、カード９０の受付待ち状態にあり（ステップＳ２０１：Ｎｏ）、カード９０を受け付けたならば（ステップＳ２０１：Ｙｅｓ）、カード９０からカードＩＤ及び持玉情報を読み取り、このカードＩＤで景品予約リスト７０ｆを検索する（ステップＳ２０２）。
【００７０】
その結果、景品予約リスト７０ｆに該当するカードＩＤが存在し、予約景品が有る場合には、（ステップＳ２０３：Ｙｅｓ）、予約景品の景品交換処理を行う（ステップＳ２０４）。具体的には、すでに予約段階で景品交換に必要な持玉数は減算されているので、景品の受け渡しのみを行うことになる（ステップＳ２０４）。
【００７１】
この景品の受け渡しを終えたならば、景品交換リスト７０ｆからカードＩＤを削除し（ステップＳ２０５）、カードＩＤを含む景品コードの削除指示を管理装置４０に対して行う（ステップＳ２０６）。なお、景品コードの削除指示を受け付けた管理装置４０は、カード情報４０ｅの該当するカードＩＤの景品予約玉数の欄と景品コードの欄をクリアする。上記一連の処理を行うことにより、遊技客は、予約した景品を円滑かつ迅速に受け取ることが可能となる。
【００７２】
上述してきたように、本実施例１では、遊技機２０で遊技している遊技客が、自席から景品の予約操作を行うと、この景品の景品交換に必要な玉数が持玉数から減算されるとともに、景品コード及びカードＩＤを含む予約依頼データが管理装置４０に通知され、管理装置４０のカード情報４０ｅが更新されるとともに、管理装置４０から転送された予約依頼データを受け付けた景品管理装置７０が、景品予約リスト７０ｆに予約景品を追加するよう構成したので、遊技客が望む景品を自席から予約することができ、もって遊技客が望む景品を該遊技客のニーズに応じて適切かつ効率的に供給することが可能となる。
【００７３】
かかる景品の予約が可能になると、遊技店は、景品を常時カウンター内に準備しておく必要がなくなるので、遊技店にとっても有利である。遊技店は、ある程度カウンターに置くべき景品数を把握できるため、例えば、遊技店に近い提携先のコンビニエンスストアに景品を当初は準備しておき、遊技客の持玉数を確認しながら適宜景品を遊技店内に搬送することで、設備の効率的な利用を図ることができる。
【００７４】
なお、本実施例１では、遊技客が景品を予約できる場合について説明したが、景品が数量限定の制限品の場合には、遊技客が景品を予約できない場合もある。かかる場合には、景品管理装置７０に景品予約待ちリストを設け、景品の予約待ちを可能にするよう構成することもできる。予約された景品の取消があった場合には、この景品予約待ちリストの優先順位の高いカードＩＤから順に景品予約リスト７０ｆに移行させて予約状態に遷移させるとともに、予約状態になった旨を遊技客が遊技する遊技機１０に併設された台間カード処理機１０の表示操作部１３に表示させれば良い。なお、景品予約待ちリストは、図７に示した景品予約リスト７０ｆと同様のものとなる。
【００７５】
また、本実施例１では、遊技客の持玉数と無関係に景品の予約が完了したならば、景品予約リスト７０ｆにカードＩＤを書き込んで予約を確定させることとしたが、本発明はこれに限定されるものではなく、遊技客の持玉数が所定数以下となった場合に、景品の予約を取り消すか否かを遊技客が遊技する遊技機１０に併設された台間カード処理機１０の表示操作部１３に表示させることもできる。
【００７６】
また、本実施例１では、遊技客により選択された景品の予約を行う場合を示したが、本発明はこれに限定されるものではなく、遊技客の持玉数が増加した場合に、予約した景品の上位の景品を推奨するよう遊技客が遊技する遊技機１０に併設された台間カード処理機１０の表示操作部１３に表示させることもできる。例えば、カニ（１０００玉）、毛ガニ（３０００玉）の景品が存在し、遊技客がカニ（１０００玉）を予約する場合に、遊技客の持玉数が所定数以上になると、毛ガニ（３０００玉）を推奨するよう表示することができる。かかる推奨に伴って予約する景品を変更する場合には、差額分の持玉数を遊技客の持玉数から減算されることになる。持玉数よりも交換数の方が多い場合であっても、大当たり等をしていれば、おおよその出玉数が把握できるので、その出玉数の範囲内の交換数の景品であれば、計数していなくても予約することができても良い。その場合は、計数しても予約景品の交換数を超えるまではカウント値は上がらない。また、予約も完了していない未計数の状態で管理しておき、所定の時間内に交換数分が計数されなければ、予約を自動キャンセルするようにしても良い。
【実施例２】
【００７７】
ところで、上記実施例１では、遊技機２０で遊技する遊技客が自席で景品の予約を行う場合を示したが、景品の予約を取り消すこともできる。そこで、本実施例２では、景品の予約を取り消す場合について示すこととする。
【００７８】
まず、本実施例２に係る景品交換システムの概念について説明する。図１０は、本実施例２に係る景品交換システムの概念を説明するための説明図である。なお、上記実施例１と同様の部分はその詳細な説明を省略する。
【００７９】
同図に示す景品交換システムでは、遊技機２０で遊技している遊技客が、自席から景品の予約の取り消しを行えるようにした点に特徴がある。具体的には、遊技客が台間カード処理機１０の表示操作部を用いて景品予約取消操作を行うと、台間カード処理機１０から管理装置４０に対して予約取消依頼データが送信されるとともに、台間カード処理機１０で管理される持玉情報に予約が取り消される景品の景品交換に必要な玉数が加算される。この予約取消依頼データには、予約された景品の景品コードと、持玉数が関連づけられたカード９０のカードＩＤとが含まれる。
【００８０】
この予約取消依頼データを受信した管理装置４０は、カード情報４０ｅの更新を行う。例えば、管理装置４０が、景品コード「１２３」及びカードＩＤ「００１」を含む予約取消依頼データを受信したならば、このカードＩＤ「００１」の持玉数をカード情報４０ｅから検索する。そして、この時点でのカードＩＤ「００１」の持玉数が「４０００個」であり、景品コード「１２３」の景品交換に必要な持玉数が「１０００個」である場合には、カードＩＤ「００１」の持玉数は、「４０００個」から「５０００個」に加算処理される。それとともに、カードＩＤ「００１」の景品予約玉数が「１０００個」から「０個」になる。なお、景品コード「１２３」の景品交換に必要な持玉数「１０００個」は、事前に管理装置４０に通知されている。また、カードＩＤ「００１」の景品コード欄から「１２３」が削除される。
【００８１】
これにより、管理装置４０では、景品コード「１２３」の予約済み景品がカードＩＤ「００１」によって取り消されたことが分かる。その後、管理装置４０は、予約取消依頼データを景品管理装置７０に転送する。
【００８２】
この予約取消依頼データを受信した景品管理装置７０は、この予約取消依頼データに含まれる景品コード「１２３」とカードＩＤ「００１」の行を景品予約リスト７０ｆから削除する。なお、景品コード「１２３」の景品交換に必要な持玉数「１０００個」は、事前に景品管理装置７０に通知されている。
【００８３】
上記一連の処理を行うことにより、遊技客は、一度予約した景品の予約を取り消し、取り消した景品分の持玉数を含めて遊技を継続することが可能となる。
【００８４】
次に、予約取消時のカード情報４０ｅの状態遷移について説明する。図１１は、予約取消時のカード情報４０ｅの状態遷移を説明するための説明図である。同図（ａ）に示すように、予約前の段階では、残額「０円」、持玉数「５０００玉」、景品予約玉数「０玉」、景品コード「−」がカードＩＤ「００１」に対応づけられ、残額「０円」、持玉数「２０００玉」、景品予約玉数「０玉」、景品コード「−」がカードＩＤ「００２」に対応づけられている。この状況では、カードＩＤ「００１」、「００２」はともに景品予約がなされていない。
【００８５】
また、カードＩＤ「００１」について景品コード「１２３」の景品予約が行われると、図１１（ｂ）に示すように、カードＩＤ「００１」の残額「０円」、持玉数「４０００玉」、景品予約玉数「１０００玉」、景品コード「１２３」となる。
【００８６】
さらに、カードＩＤ「００１」について景品コード「１２３」の景品予約取消が行われると、図１１（ｃ）に示すように、カードＩＤ「００１」の残額「０円」、持玉数「５０００玉」、景品予約玉数「０玉」、景品コード「−」となる。つまり、景品を予約する以前の状態に戻ることになる。このため、遊技客は、予約した景品分も含めた持玉を用いて遊技を継続することが可能となる。
【００８７】
なお、表示操作部１３を用いた景品取消選択を行う場合には、図１２に例示した表示画面を表示操作部１３に表示制御し、遊技客が「１．カニ」を選択して「キャンセル」ボタンを押下操作したならば、この「１．カニ」に対応する景品コード「１２３」が予約取消対象として特定されることになる。
【００８８】
次に、図１０に示した台間カード処理機１０、管理装置４０及び景品管理装置７０の景品予約取消時の処理手順について説明する。図１３は、図１０に示した台間カード処理機１０、管理装置４０及び景品管理装置７０の景品予約取消時の処理手順を示すフローチャートである。ここでは、事前に景品の予約が行われたものとする。
【００８９】
図１３に示すように、台間カード処理機１０は、当初景品予約取消操作の受付待ちの状態にあり（ステップＳ３０１：Ｎｏ）、景品予約取消操作を受け付けたならば（ステップＳ３０１：Ｙｅｓ）、選択された景品コード及びカードＩＤを含む景品予約取消データが管理装置４０に対して送信されるとともに（ステップＳ３０２）、選択された景品の景品交換に必要な持玉数が持玉情報１０ｄに加算される（ステップＳ３０３）。
【００９０】
一方、管理装置４０は、景品予約取消データの受信待ちの状態にあり（ステップＳ３０４：Ｎｏ）、景品予約取消データを受信したならば（ステップＳ３０４：Ｙｅｓ）、この景品予約取消データに含まれるカードＩＤを取り出し、カード情報４０ｅのカードＩＤに対応する持玉数に景品コードの景品の景品交換に必要な持玉数を加算する（ステップＳ３０５）。
【００９１】
また、カード情報４０ｅのカードＩＤに対応する景品予約玉数の欄から景品コードの景品の景品交換に必要な持玉数を減算し（ステップＳ３０６）、カード情報４０ｅのカードＩＤに対応する景品コードの欄から景品予約データに含まれる景品コードを削除し（ステップＳ３０７）、景品予約取消データを景品管理装置７０に転送する（ステップＳ３０８）。
【００９２】
景品管理装置７０は、景品予約取消データの受信待ちの状態にあり（ステップＳ３０９：Ｎｏ）、景品予約取消データを受信したならば（ステップＳ３０９：Ｙｅｓ）、この景品予約取消データに含まれるカードＩＤを取り出し、景品コード、必要玉数、カードＩＤ及び景品名を景品予約リスト７０ｆから削除し（ステップＳ３１０）、景品コード及びカードＩＤを含む取消完了データを管理装置４０に対して送信する（ステップＳ３１１）。
【００９３】
上記一連の処理を行うことで、景品交換管理装置７０の景品予約リスト７０ｆに予約された景品の予約を取り消すことができる。これにより、遊技客は、景品予約した持玉数分を含めて遊技を継続することができる。
【００９４】
上述してきたように、本実施例２では、遊技機２０で遊技している遊技客が、自席から景品の予約取消操作を行うと、この景品の景品交換に必要な玉数が持玉数に加算されるとともに、景品コード及びカードＩＤを含む予約取消依頼データが管理装置４０に通知され、管理装置４０のカード情報４０ｅが更新されるとともに、管理装置４０から転送された予約取消依頼データを受け付けた景品管理装置７０が、景品予約リスト７０ｆから予約景品を削除するよう構成したので、遊技客がいつでも景品の予約を取り消し、この景品分の持玉数を含めて遊技を継続することが可能となる。
【００９５】
なお、本実施例２では、予約した景品を無条件で取り消しできる場合を示したが、本発明はこれに限定されるものではなく、予約を取り消す際に所定数の手数料を徴収することもできる。この場合は、予約された景品の景品交換に必要な玉数から手数料の玉数を減じた数を遊技客の持玉数に加算することになる。
【００９６】
また、上記実施例１及び２では、持玉数を用いて景品を予約する場合について説明したが、本発明はこれに限定されるものではなく、貯玉や貯メダル等の貯遊技媒体を用いて景品を予約する場合に適用することもできる。
【００９７】
さらに、上記実施例１及び２では、景品を予約する時点で必要な玉数を持玉数から減算し、予約を取り消す時点で必要な玉数を持玉数に加算する場合を示したが、景品の予約及び取消の時点では持玉数の加減算を行わず、予約された景品を受け渡す時点で持玉数から必要な玉数を減算する場合に適用することもできる。
【産業上の利用可能性】
【００９８】
以上のように、本発明に係る景品交換システム及び景品交換方法は、遊技客が獲得した遊技媒体を景品に交換する場合に適し、特に、遊技客が望む景品を該遊技客のニーズに応じて適切かつ効率的に供給する場合に適する。
【符号の説明】
【００９９】
１０  台間カード処理機
１０ａ  Ｒ／Ｗ部
１０ｂ  通信Ｉ／Ｆ部
１０ｃ  記憶部
１０ｄ  持玉情報
１０ｅ  制御部
１０ｆ  持玉管理部
１０ｇ  景品予約処理部
１０ｈ  払出処理部
１１  状態表示部
１２  紙幣挿入部
１３  表示操作部
１４  ノズル
１５  カード挿入口
１６  携帯読取部
１７  計数部
１８  持玉貯留部
２０  遊技機
２１  上皿
２２  下皿
３０  島コントローラ
４０  管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  持玉管理部
４０ｈ  景品予約管理部
５０  島端計数機
６０  精算機
７０  景品管理装置
７０ａ  入力部
７０ｂ  表示部
７０ｃ  通信Ｉ／Ｆ部
７０ｄ  Ｒ／Ｗ部
７０ｅ  記憶部
７０ｆ  景品予約リスト
７０ｇ  制御部
７０ｈ  景品交換処理部
７０ｉ  景品予約管理部
８０  通信回線
９０  カード
【図１】
2012055477.tif 000003
【図２】
2012055477.tif 000004
【図３】
2012055477.tif 000005
【図４】
2012055477.tif 000006
【図５】
2012055477.tif 000007
【図６】
2012055477.tif 000008
【図７】
2012055477.tif 000009
【図８】
2012055477.tif 000010
【図９】
2012055477.tif 000011
【図１０】
2012055477.tif 000012
【図１１】
2012055477.tif 000013
【図１２】
2012055477.tif 000014
【図１３】
2012055477.tif 000015